(57)【特許請求の範囲】
【請求項１】
タオル等の柔軟な製品の表面と裏面の少なくとも一方に配置されるシートであり且つタグピンが前記製品と前記シートへ突き通された状態とされて前記製品へ取り付けられるものであって、前記タグピンは、前記製品と前記シートとを突き通す軸部と、前記軸部の両端へ設けられた鉤部とを備え、前記軸部の伸びる方向を縦方向として前記鉤部の夫々は前記軸部の両端部から横方向へ突出するタグラベルにおいて、
前記タグラベルに延設されたピン通し部を備え、前記ピン通し部は、前記ピン通し部の表裏に貫通する小貫通部を備え、
前記タグラベルは、前記ピン通し部と重なる部位を備え、当該重なる部位は、当該重なる部位の表裏に貫通する大貫通部と、前記大貫通部の周囲を取り囲む周辺部とを備え、
前記小貫通部は、タグピンの前記軸部を通すことができ且つ前記鉤部を通すことができない大きさを備え、
前記大貫通部は、タグピンの前記鉤部を通すことができる大きさを備えたものであるタグラベル。
【請求項２】
前記小貫通部は、前記ピン通し部の表裏に貫通する貫通孔であり、前記小貫通部の径は、タグピンの前記軸部の径と同じか前記軸部の径より大きく前記鉤部の横幅よりも小さなものであり、
前記大貫通部は、前記重なる部位の表裏に貫通する貫通孔であり、前記大貫通部の径は、タグピンの前記鉤部の横幅と略同じ大きさであり、
前記タグラベルは、前記製品の縁にて折り曲げられ或いは湾曲することにて前記製品の表面へ配置される部位と前記製品の裏面へ配置される部位とを、夫々表部と裏部として備え、
前記ピン通し部は、前記タグラベルに延設されて折り曲げられ或いは湾曲することにて前記タグラベルへ重ねられるものであり、
前記表部と裏部の夫々に、前記ピン通し部が延設されたものであり、前記タグラベルにおいて少なくとも前記ピン通し部と重なる部位の一方に、前記大貫通部と前記周辺部とが備えられたことを特徴とする請求項１記載のタグラベル。
【請求項３】
前記表部に延設された前記ピン通し部は、前記製品と前記表部との間へ配置され、
前記裏部に延設された前記ピン通し部は、前記製品と前記裏部との間へ配置され、
前記表部へ延設されたピン通し部を第１内側部とし、前記裏部へ延設されたピン通し部を第２内側部とし、前記第１内側部と重なる前記表部の部位を第１外側部とし、前記第２内側部と重なる前記裏部の部位を第２外側部とし、
前記表部の前記第１外側部を挟んで前記第１内側部と反対の部位と、前記第１外側部との間は、前記製品の外側に向けて山となる折り目又は湾曲部分が設けられ、
前記裏部の前記第２外側部を挟んで前記第２内側部と反対の部位と、前記第２外側部との間は、前記製品の外側に向けて山となる折り目又は湾曲部分が設けられ、
前記第１外側部と第２外側部の双方に、前記大貫通部と周辺部とが設けられたことを特徴とする請求項２記載のタグラベル。
【請求項４】
前記タグラベルと前記タグピンとを備えた請求項１記載のタグラベルの取り付け構造。
【請求項５】
タオル等の柔軟な製品の表面と裏面の少なくとも一方にタグラベルを配置し、前記タグラベルに対しタグガンを用いて樹脂製のタグピンを突き通すものであって、前記タグピンには、前記の突き通しを行う軸部と、前記軸部の両端へ設けられた鉤部とを備えたものを採用し、前記軸部の伸びる方向を縦方向として前記鉤部の夫々は前記軸部の各端部から横方向へ突出するものとし、前記タグガンには、前記突き通しにおける突き通し方向について前記軸部先端部の鉤部を前記軸部に沿わせて前記軸部と略一直線となるよう強制的に曲げた状態に前記タグピンを収容する中空の針を備えたものを用い、前記針を前記製品と前記タグラベルの夫々へ突き通した後、前記タグピンを残して前記針を抜くことにて、軸部と略一直線とされていた前記鉤部を前記軸部に対して横方向へ伸びるよう復元させ、前記タグピンを前記製品及びタグラベルから脱落不能とするタグラベルの取り付け方法において、
前記タグラベルへ、ピン通し部を延設し、更に前記ピン通し部へ、前記ピン通し部部の表裏に貫通する小貫通部を設け、
前記タグラベルへ前記ピン通し部と重なる部位を設け、当該重なる部位へ、当該重なる部位の表裏に貫通する大貫通部と、前記大貫通部の周囲を取り囲む周辺部とを設けておき、
前記小貫通部は、タグピンの前記軸部を通すことができ且つ前記鉤部を通すことができない大きさとし、
前記大貫通部は、タグピンの前記鉤部を通すことができる大きさを備えたものとするタグラベルの取り付け方法。
【発明の詳細な説明】
【技術分野】
【０００１】
本発明は、タグラベルとその取り付け構造並びにその取り付け方法に関する。
【背景技術】
【０００２】
衣料品や身の回り品といった布製の商品に付す値札などのタグラベルとして、例えば特許文献１〜６へ示すものがある。
近年特に特許文献７の請求項１（頭部とフィラメント部と横棒部からなる〜係止片）、特許文献８の図５、図１０及び図１３へ示す樹脂製タグピンを、商品と上記タグラベルへ突き通して固定するものが普及している。
効率的に上記樹脂製タグピンを打つ手段として、特許文献７の図１〜５、特許文献８の図６〜９、同図１２及び図１３へ示すタグガンを用いるのが一般的である。
【先行技術文献】
【特許文献】
【０００３】
【特許文献１】特許第５０２２６５５号公報
【特許文献２】特許第５３１１９２４号公報
【特許文献３】特許第５３４６１３３号公報
【特許文献４】実用新案登録第２５３６３９１号公報
【特許文献５】特開２０１４−１４２３７１号公報
【特許文献６】特開２０１４−１６０１５９号公報
【特許文献７】特許第２５６４２４０号公報
【特許文献８】実用新案登録第３０８０６８０号公報
【発明の概要】
【発明が解決しようとする課題】
【０００４】
上記樹脂製タグピンにてタオルなどパイル地の柔軟な製品へタグラベルを取り付けた例を図４へ示す。
先ず１枚のシートであるタグラベルＬを、製品Ｓであるタオルの縁Ｓ０にて曲げ当該製品Ｓの表面Ｓ１と裏面Ｓ２の夫々へ当該製品Ｓを挟んで配置する。そして、製品Ｓと共にタグラベルＬの製品Ｓの表面Ｓ１側と裏面Ｓ２側へ位置する部位Ｌ１，Ｌ２の夫々へ上記タグガンを用いて樹脂製タグピンＰの軸部Ｐ１を突き通すことにより、図４へ示す通り当該軸部Ｐ１の両端において軸部Ｐ１の伸びる方向と交差する方向へ伸びる鉤部Ｐ２，Ｐ３をタグラベルＬの上記部位Ｌ１，Ｌ２の夫々へ配置する。鉤部Ｐ２，Ｐ３を上記の通り配置することによりタグラベルＬ２と上記タオルからタグピンＰを脱落不能に固定する。当該タグピンＰの固定によって、タグラベルＬをタオルなどの製品Ｓへ取り付けることができる。
【０００５】
しかし、上記タグピンＰの鉤部Ｐ２，Ｐ３はタグラベルＬの表面から露出するものであり、タオルなどの製品間において、他の製品のパイルのループへ当該鉤部Ｐ２，Ｐ３が引っ掛かって当該他の製品を傷め、商品価値を下げてしまうということがある。
本発明は、上記鉤部の引っ掛かりを抑制して上記問題の解決を図る。
【課題を解決するための手段】
【０００６】
本発明では、タオル等の柔軟な製品の表面と裏面の少なくとも一方に配置されるシートであり且つタグピンが前記製品と前記シートへ突き通された状態とされて前記製品へ取り付けられるものであって、前記タグピンは、前記製品と前記シートとを突き通す軸部と、前記軸部の両端へ設けられた鉤部とを備え、前記軸部の伸びる方向を縦方向として前記鉤部の夫々は前記軸部の両端部から横方向へ突出するタグラベルについて、次の構成を採るものを提供する。
即ち、このタグラベルは、前記タグラベルに延設されたピン通し部を備え、前記ピン通し部は、前記ピン通し部の表裏に貫通する小貫通部を備え、前記タグラベルは、前記ピン通し部と重なる部位を備え、当該重なる部位は、当該重なる部位の表裏に貫通する大貫通部と、前記大貫通部の周囲を取り囲む周辺部とを備え、前記小貫通部は、タグピンの前記軸部を通すことができ且つ前記鉤部を通すことができない大きさを備え、前記大貫通部は、タグピンの前記鉤部を通すことができる大きさを備える。
上記タオル等の柔軟な製品は、前記タグピンを突き通して取り付けることができるものであればよく、タオルの他、衣料品、ハンカチ、傘、つけ毛、帽子、マフラー、ネクタイ、リボン、帯、襷、手袋、バッグ等袋物といった身の回り品、カーテンやテーブルその他の布製品、或いは布地や毛糸、タオル地といった生地素材や半製品を含む。
上記製品の表面と裏面というのは、例えば製品をタオルとする場合においてタグラベルを付けた後にタオルが折り畳まれるか否か或いは複数のタオルが重ねられて梱包されるか否かに拘わらず、１枚のタオルに対し折り畳まれていない或いは複数枚重ねられていない状態で当該タグラベルを付ける場合には夫々当該タオル自身の表面と裏面を指すものであり、一方タオルを折り畳んだり複数枚重ねた状態でタグラベルを付ける場合当該重ねたタオルの束の或いは折り畳み後のタオル製品の上面と下面とを指すものである。
尚上記のタグラベルは、商品名等を表示するものであり、当該商品名等の表示には、商品名を含む他、商標、型番、商品コード、価格、サイズ、製造元、産地、素材、製法、使用方法、キャッチコピーなどの広告の表示を含む。また上記商品コードには、目視にて内容が認識できるものの他、バーコードや電子タグを含む。
また本発明では、前記小貫通部は、前記ピン通し部の表裏に貫通する貫通孔であり、前記小貫通部の径は、タグピンの前記軸部の径と同じか前記軸部の径より大きく前記鉤部の横幅よりも小さなものであり、前記大貫通部は、前記重なる部位の表裏に貫通する貫通孔であり、前記大貫通部の径は、タグピンの前記鉤部の横幅と略同じ大きさのものであり、上記タグラベルは、前記製品の縁にて折り曲げられ或いは湾曲することにて前記製品の表面へ配置される部位と前記製品の裏面へ配置される部位とを、夫々表部と裏部として備え、前記ピン通し部は、前記タグラベルに延設されて折り曲げられ或いは湾曲することにて前記タグラベルへ重ねられるものであり、前記表部と裏部の夫々に、前記ピン通し部が延設されたものであり、前記タグラベルにおいて少なくとも前記ピン通し部と重なる部位の一方に、前記大貫通部と前記周辺部とが備えられたタグラベルを提供することができた。
更に本発明では、前記表部に延設された前記ピン通し部は、前記製品と前記表部との間へ配置され、前記裏部に延設された前記ピン通し部は、前記製品と前記裏部との間へ配置され、前記表部へ延設されたピン通し部を第１内側部とし、前記裏部へ延設されたピン通し部を第２内側部とし、前記第１内側部と重なる前記表部の部位を第１外側部とし、前記第２内側部と重なる前記裏部の部位を第２外側部とし、前記表部の前記第１外側部を挟んで前記第１内側部と反対の部位と、前記第１外側部との間は、前記製品の外側に向けて山となる折り目又は湾曲部分が設けられ、前記裏部の前記第２外側部を挟んで前記第２内側部と反対の部位と、前記第２外側部との間は、前記製品の外側に向けて山となる折り目又は湾曲部分が設けられ、前記第１外側部と第２外側部の双方に、前記大貫通部と周辺部とが設けられたタグラベルを提供できた。
また更に本発明では、前記タグラベルと前記タグピンとを備えたタグラベルの取り付け構造を提供できた。
更にまた本発明では、タオル等の柔軟な製品の表面と裏面の少なくとも一方にタグラベルを配置し前記タグラベルに対しタグガンを用いて樹脂製のタグピンを突き通すものであって、前記タグピンには、前記の突き通しを行う軸部と、前記軸部の両端へ設けられた鉤部とを備えたものを採用し、前記軸部の伸びる方向を縦方向として前記鉤部の夫々は前記軸部の各端部から横方向へ突出するものとし、前記タグガンには、前記突き通しにおける突き通し方向について前記軸部先端部の鉤部を前記軸部に沿わせて前記軸部と略一直線となるよう強制的に曲げた状態に前記タグピンを収容する中空の針を備えたものを用い、前記針を前記製品とタグラベルトの夫々へ突き通した後、前記タグピンを残して前記針を抜くことにて、前記軸部と略一直線とされていた前記鉤部を前記軸部に対して横方向へ伸びるよう復元させ、前記タグピンを前記製品及びタグラベルから脱落不能とするタグラベルの取り付け方法について、次の構成を採るものを提供する。
即ち、この方法は、前記タグラベルへ、ピン通し部を延設し、更に前記ピン通し部へ、前記ピン通し部の表裏に貫通する小貫通部を設け、前記タグラベルへ前記ピン通し部と重なる部位を設け、当該重なる部位へ当該重なる部位の表裏に貫通する大貫通部と、前記大貫通部の周囲を取り囲む周辺部とを設けておき、前記小貫通部は、装着されたタグピンの前記軸部を通すことができ且つ前記鉤部を通すことができない大きさとし、前記大貫通部は、装着されたタグピンの前記鉤部を通すことができる大きさを備えたものとする。
【発明の効果】
【０００７】
本発明では、上記タグピンの両鉤部の間に上記ピン通し部及び上記製品を挟んでタグラベルを上記製品へ固定するものとし、タグラベルの製品への取り付け後、折り曲げられ或いは湾曲したことに対するタグラベルの復元力により、上記大貫通部を取り囲む上記周辺部が重ねられたピン通し部から浮き上がり、タグラベルの製品への取り付け後上記大貫通部側の鉤部が他へ引っ掛かるのを上記周辺部が邪魔をする。また、上記浮き上がりが生じない状況でも、少なくとも上記周辺部へ取り囲まれて上記大貫通部内に上記大貫通部側の鉤部が収容される状態となることにて、上記大貫通部側の鉤部が他の製品へ引っ掛かるのを上記周辺部にて邪魔することが可能である。
即ち本発明では、上記大貫通部と周辺部にて上記鉤部の他への引っ掛かりを抑制することが可能となった。
【図面の簡単な説明】
【０００８】
【図１】（Ａ）は本発明の一実施の形態の使用状態を示す略縦断面図、（Ｂ）は（Ａ）のタグラベルの展開平面図、（Ｃ）は（Ａ）のタグラベルの変更例を示す略縦断面図。
【図２】（Ａ）は図１（Ａ）のタグラベルの他の変更例を示す略縦断面図、（Ｂ）は図１（Ａ）のタグラベルのまた他の変更例を示す略縦断面図、（Ｃ）は図１（Ａ）のタグラベルの更に他の変更例を示す略縦断面図。
【図３】（Ａ）は図１（Ａ）のタグラベルのまた他の変更例を示す略縦断面図、（Ｂ）は図１（Ａ）のタグラベルの更に他の変更例を示す略縦断面図、（Ｃ）は図１（Ａ）のタグラベルのまた更に他の変更例を示す略縦断面図。
【図４】従来例を示す略縦断面図。
【発明を実施するための形態】
【０００９】
以下、図面に基づき本願発明の実施の形態を説明する。
（基本構成）
本発明に係るタグラベルの取り付け構造は、図１（Ａ）へ示す通り、製品Ｓへ付されるタグラベル１と、タグラベル１を製品Ｓへ固定するタグピンＰとを備える。
ここでは製品Ｓとしてタオルを例示し説明する。
タグラベル１は、図１（Ｂ）へ破線で示す、商品名などの表示７を備える。当該表示７は印刷にてタグラベル１へ設けておくことができる。
周知のタグガンを用いて上記タグピンＰを打ち付けることにより、製品Ｓへ上記タグラベル１を付すことができる。
以下各部の構成について詳しく説明する。
【００１０】
（タグピンＰ）
上記タグピンＰには、図４へ示す周知の樹脂製タグピンを採用するのが好ましい。この例ではタグピンＰには、樹脂製タグピンＰとして柔軟なプラスチックにて形成されたものを採用する。
具体的には、図１（Ａ）へ示す通り、タグピンＰは、一般にフィラメントと呼ばれる軸部Ｐ１と、軸部Ｐ１の両端の夫々に設けられた鉤部Ｐ２，Ｐ３とを備える。軸部Ｐ１の伸びる方向を縦方向として鉤部Ｐ２，Ｐ３の夫々は、軸部Ｐ１の両端から横方向へ突出する棒状の部分である。
この例では、両鉤部Ｐ２，Ｐ３は互いに同じ横幅Ｗを備える。但し、一方の鉤部が他方の鉤部よりも横幅Ｗの大きなものとして実施することもできる。
【００１１】
図１（Ａ）へ示す樹脂勢タグピンＰを打つのに適したタグガンとして、特許第２５６４２４０号公報（特許文献７）や実用新案登録第３０８０６８０号公報（特許文献８）の図６〜９、同図１２及び図１３へ示すものを例示できる。但し、上記両公報へ示されたタグガン以外の周知のタグガンを用いてタグピンＰを打つのを制限するものではない。
【００１２】
図示は省略するが、上記タグガンの備える中空の針の内部に樹脂製のタグピンＰが順次収容される。通常一体に成形された複数のタグピンＰが上記タグガンへ充填され、タグガンの引き金を引くことにて、タグピンＰは１本づつ他のタグピンＰから分離して打ち出される。
詳しくは、上記針はその長手方向と交差する断面において、Ｃ字形を呈するものであり、打ち出そうとする１本のタグピンＰの軸部Ｐ１が、当該針の呈する上記Ｃ字の内側へ当該針の長手方向に沿って収容される。収容において打ち出し方向の先端側に位置する軸部Ｐ１の端部即ち軸部Ｐ１の先端部の鉤部Ｐ３が樹脂の柔軟性にて強制的に当該軸部Ｐ１へ沿う状態にされ軸部Ｐ１と共に当該針内へ収容される。当該針をタグラベル１諸共製品Ｓへ突き通しタグガンの引き金を引くことにて、針内へタグガンの備える押圧棒即ちピストン部材を上記針内にて当該針の基端側から針の先端側へ向けて押し込み、タグピンＰを当該針の先端側から押し出す。押し出しの際、軸部Ｐ１の基端部の鉤部Ｐ２は、軸部Ｐ１へ沿わされることなく上記針の呈する上記Ｃ字の切欠部分から突き出てそのままタグラベル１や製品Ｓに突き通されることなく針から解放される。軸部Ｐ１先端部の上記鉤部Ｐ３は、上記針先から出て元の状態に復元し、軸部Ｐ１が突き通された製品Ｓ及びタグラベル１から後戻りできなくなる。このようにして、タグピンＰが製品Ｓ及びタグラベル１へ固定され、タグラベル１が製品Ｓへ取り付けられる。
【００１３】
尚、上記タグピンＰの打ち出しにおいて、例えば実用新案登録第３０８０６８０号（特許文献８）の図１３へ示す通り、先ず軸部Ｐ１の上記先端部の鉤部Ｐ３を上記針内へ収容して棒状の当該鉤部Ｐ３長手方向を上記針の長手方向に沿うように配置すると共に上記Ｃ字の切欠部から軸部Ｐ１と他方の鉤部Ｐ２とを針の外へ出した状態とし、上記ピストン部材を引き金の操作にて上記針の基端側から先端側へ向け針内を移動させ軸部Ｐ１側を強制的に針内の上記鉤部Ｐ３へ沿せることにより、当該鉤部Ｐ３を上記の通り軸部Ｐ１へ沿わせた状態とすることができる。即ち、樹脂の柔軟性にて強制的に軸部Ｐ１の先端部の鉤部Ｐ３を当該軸部Ｐ１へ沿わせるというのは相対的に変形させて沿わせるものであり、軸部Ｐ１側を変形させて強制的に上記先端部の鉤部Ｐ３へ沿わせるものとしてもよく、また上記先端部の鉤部Ｐ３を変形させて強制的に軸部Ｐ１へ沿わせるものとしてもよく、前記何れの場合も含むのである。上記針内でのタグピンＰの上記変形の仕方については、利用するタグガンにより異なるものであってよい。
【００１４】
（タグラベル１）
上記のタグラベル１は、紙、柔軟なプラスチックシート、又は布を主材とするシートである。タグラベル１は、図１（Ｂ）へ示す通り１枚のシートである。但し１つのタグラベル１を複数枚のシートにて構成してもよい。この例では、タグラベル１は複数の折り目を備えた１枚の紙片である。
図１（Ｂ）へ示す通り、タグラベル１は、表部１１と、表部１２から第１折り目ｍ１を挟んで延設された裏部１２とを備える。表部１１と必要に応じ裏部１２の夫々に上記表示７が印刷されている。即ち表部１１と裏部１２とが商品等の表示を行うタグラベル１の主要部即ちタグラベル本体を構成する。
この例では、平面視略矩形の表部１１の一辺即ち短辺の一つを上記第１折り目ｍ１として当該第１折り目ｍ１を挟んで表部１１へ上記裏部１２が延設されており、図１（Ｂ）へ示す通り、裏部１２も平面視略矩形を呈する。表部１１と裏部１２とは左右の幅（左右横幅ｔ１，ｔ２）が同じである。
【００１５】
表部１１の裏部１２と反対側の辺には、第２折り目ｍ２を挟んで外側部２（以下必要に応じて第１外側部２１と呼ぶ。）が延設されている。この例では、図１（Ｂ）へ示す通り、第１外側部２１は平面視略矩形を呈するものであり、第１外側部２１は表部１１よりも左右の幅（左右横幅ｔ４）が小さい。この例では、第１外側部２１は表部１１より前後の幅（前後縦幅ｔ６）も小さい。但し第１外側部２１を、表部１１よりも左右横幅ｔ４が大きいか同じものとして実施してもよい。また同様に第１外側部２１を、表部１１よりも前後縦幅ｔ６が大きいか同じものとして実施してもよい。
表部１１と裏部１２夫々の形状は上記矩形に限定するものではなく、他の形状を採用して実施できる。
【００１６】
第１外側部２１には、第１外側部２１の表裏に貫通する貫通孔が大貫通部４として設けられている。詳しくは、第１外側部２１は、上記大貫通部４と大貫通部４を取り囲む周辺部２０とにて構成されており、周辺部２０が、空間である大貫通部４の輪郭を規定する縁を備える。この例では大貫通部４は平面視円形の輪郭を備える。
大貫通部４の径は、タグピンＰの横棒である鉤部Ｐ２，Ｐ３の上記横幅Ｗ即ち軸部Ｐ１と直交する方向の長さと略同じである。この略同じにすることについては、完全に同一とする他、後述する周辺部２０の機能を損なわない範囲で鉤部Ｐ２，Ｐ３の横幅Ｗより若干大きいものとすることを含む。
この例では、図１（Ａ）へ示す通り、大貫通部４の径は、鉤部Ｐ２，Ｐ３の横幅Ｗより若干大きい。
【００１７】
第１外側部２１には第２折り目ｍ２と反対側の辺に第４折り目ｍ４を挟んでピン通し部として内側部３（以下必要に応じて第１内側部３１と呼ぶ。）が延設されている。図１（Ｂ）へ示す通り、第１内側部３１は、平面視略矩形を呈する。この例では、第１内側部３１は上記第１外側部２１とほぼ同じ大きさである。
第１内側部３１には、第１内側部３１の表裏に貫通する貫通孔が小貫通部５として形成されている。詳しくは、第１内側部３１は、上記小貫通部５と小貫通部５を取り囲む副周辺部３０とにて構成されており、副周辺部３０が、空間である小貫通部５の輪郭を規定する縁を備える。この例では小貫通部５は平面視円形の輪郭を備える。
小貫通部５の径は、タグピンＰの軸部Ｐ１の径と略同じである。略同じにすることについては、上記大貫通部４の鉤部Ｐ２，Ｐ３に対する大きさと同様である。
この他小貫通部５の径は、上記略同じの範囲を超えて軸部Ｐ１の径よりも比較的大きなものとすることができる。但し、小貫通部５の上記径は、タグピンＰの横棒である鉤部Ｐ２，Ｐ３の上記横幅Ｗよりも小さいものとする。この例では図１（Ａ）へ示す通り小貫通部５の径は、上記軸部Ｐ１の径と略同じであり、軸部Ｐ１の径より若干大きい程度である。
【００１８】
裏部１２の表部１１と反対側の辺にも、第３折り目ｍ３を挟んで外側部２（以下必要に応じて第２外側部２２と呼ぶ。）が延設されている。この例では、図１（Ｂ）へ示す通り、第２外側部２２は平面視略矩形を呈するものであり、第２外側部２２は裏部１２よりも左右の幅（左右横幅ｔ４）が小さい。この例では、第２外側部２２は裏部１２より前後の幅（前後縦幅ｔ６）も小さい。但し第２外側部２２を、裏部１２よりも左右横幅ｔ４が大きいか同じものとして実施してもよい。また同様に第２外側部２２を、裏部１２よりも前後縦幅ｔ６が大きいか同じものとして実施してもよい。
【００１９】
第２外側部２２には、上記第１外側部２１と同様、第２外側部２２の表裏に貫通する貫通孔が大貫通部４として設けられている。詳しくは、第２外側部２２も、上記大貫通部４と大貫通部４を取り囲む周辺部２０とにて構成されており、周辺部２０が、空間である大貫通部４の輪郭を規定する縁を備える。この例では第２外側部２２の大貫通部４も平面視円形の輪郭を備える。
第２外側部２２が備える大貫通部４の径も、タグピンＰの鉤部Ｐ２，Ｐ３の横幅Ｗと略同じである。
この例では、図１（Ａ）へ示す通り、第２外側部２２の大貫通部４の径も、鉤部Ｐ２，Ｐ３の横幅Ｗより若干大きい。
但し、両外側部２１，２２の大貫通部４は、タグピンＰの先端部の鉤部Ｐ２を通すことができる大きさであれば、大貫通部４の径がタグピンＰの基端部の鉤部Ｐ３の横幅Ｗより幾分小さいものであってもよい。大貫通部４の径は、タグピンＰの基端部の鉤部Ｐ３幾分小さいものであっても樹脂製タグピンＰの柔軟性により上記鉤部Ｐ３の若干の変形で大貫通部４を通り抜けることができる範囲の大きさのものであればよいのである。上記通り抜け後の鉤部Ｐ３の端部（左右両端）は外側部２（第１外側部２１）の周辺部２０に覆われ、タグピンＰの他への引っ掛かりは極めて生じ難い。
【００２０】
第２外側部２２にも第３折り目ｍ３と反対側の辺に第５折り目ｍ５を挟んでピン通し部として内側部３（以下必要に応じて第２内側部３２と呼ぶ。）が延設されている。図１（Ｂ）へ示す通り、第２内側部３２は、平面視略矩形を呈する。この例では、第２内側部３２は上記第２外側部２２とほぼ同じ大きさである。
第２内側部３２にも、第２内側部３２の表裏に貫通する貫通孔が小貫通部５として形成されている。詳しくは、第２内側部３２も、上記小貫通部５と小貫通部５を取り囲む副周辺部３０とにて構成されており、副周辺部３０が、空間である小貫通部５の輪郭を規定する縁を備える。この例では第２内側部３２の小貫通部５も平面視円形の輪郭を備える。
第２内側部３２の小貫通部５の径も、タグピンＰの軸部Ｐ１の径と略同じである。
この他第２内側部３２の小貫通部５の径も、上記略同じの範囲を超えて軸部Ｐ１の径よりも比較的大きなものとすることができる。但し、第２内側部３２の小貫通部５の上記径も、タグピンＰの鉤部Ｐ２，Ｐ３の横幅Ｗよりも小さいものとする。この例では図１（Ａ）へ示す通り第２内側部３２の小貫通部５の径も、上記軸部Ｐ１の径と略同じであり、軸部Ｐ１の径より若干大きい程度である。
尚、両内側部３１，３２の小貫通部４は、タグピンＰの前記軸部Ｐ１を通すことができる大きさを備えるものであればよく、当初軸部Ｐ１の径より小さいものであってもタグピンＰの突き通しによって広がり、その結果当該軸部Ｐ１の径より大きくなるものとして実施できる。
図１（Ｂ）へ示す通り、この例では、表部１１と裏部１２の夫々は、左右横幅ｔ１，ｔ２を６ｃｍとし前後縦幅ｔ３を３ｃｍとする。外側部２（第１外側部２１及び第２外側部２２）と内側部３（第１内側部３１及び第２内側部３２）は、左右横幅ｔ４，ｔ５を１．４ｃｍとし、前後縦幅ｔ６を２．４ｃｍとする。また各大貫通部４の径を７．５ｍｍとし、各小貫通部５の径を２ｍｍとする。
また、この例では、表部１１は表示７の形状に合わせて長辺から突出する突出部８を備え、当該突出部の突出幅ｔ７は０．７ｃｍである。但し、表示７の形状により突出部８を設けずに実施することもできる。
尚、上記各部の寸法は、単なる例示であり、製品の寸法、タグピンＰの寸法、タグガンの針の寸法、更にはタグラベル１の強度、表示７の形状・配置など種々の条件によって、適宜変更可能である。
【００２１】
（タグラベル１の製品Ｓへの取り付け）
図１（Ｂ）へ示すタグラベル１について、図１（Ａ）へ示す通り、製品Ｓの縁Ｓ０に第１折り目ｍ１を沿わせ当該第１折り目ｍ１にてタグラベル１を山折りにし、表部１１を製品Ｓの表面Ｓ１へ配置し、裏部１２を製品Ｓの裏面Ｓ２へ配置する。当該配置にて表部１１と裏部１２との間に製品Ｓを挟む。図１（Ｂ）において製品Ｓの上面を製品Ｓの表面Ｓ１とし製品Ｓの下面を製品Ｓの裏面Ｓ２として、以下説明する。
第１折り目ｍ１にてタグラベル１を上記の通り山折りにするに先立ち、上記第２折り目ｍ２、第３折り目ｍ３、第４折り目ｍ４及び第５折り目ｍ５についてもタグラベル１を山折りにしておく。尚図１（Ｂ）の一点鎖線が山折りとされる上記各折り目を示している。
【００２２】
上記において表部１１と第１外側部２１とを、第２折り目ｍ２を尾根として上方へ凸となるように山折りとする。第１内側部３１については第４折り目ｍ４にて折り返し第１外側部２１の裏面（図１（Ａ）において下）へ重なるように配置する。即ち、返し部として第１内側部３１を第４折り目ｍ４で折り返すことにて製品Ｓの表面Ｓ１と第１外側部２１との間に当該第１内側部３１を配置する。
また上記において裏部１２と第２外側部２２とを、第３折り目ｍ３を尾根として下方へ凸となるように山折りとする。第２内側部３２については第５折り目ｍ５にて折り返し第２外側部２２の裏面（図１（Ａ）において上）へ重なるように配置する。即ち、返し部として第２内側部３２を第５折り目ｍ５で折り返すことにて製品Ｓの裏面Ｓ２と第２外側部２２との間に当該第２内側部３２を配置する。
この例では、返し部として折り返された両内側部３が、小貫通部５を備えたピン通し部としてタグピンＰの軸部Ｐ１を通す部位を提供するのである。
【００２３】
タグラベル１の上記各部の折り込みによって、製品Ｓの表面側において第１内側部３１の小貫通部５は第１外側部２１の大貫通部４へ重ねられ、製品Ｓの裏面側において第２内側部３２の小貫通部５は第２外側部２２の大貫通部４へ重ねられ、製品Ｓを挟んで第１内側部３１の小貫通部５が第２内側部３２の小貫通部５と対応する位置に配置される。
平面視において大貫通部４と小貫通部５とは同心となるように配置される。但し、タグピンＰを適切に通すことができれば、大貫通部４の中心は小貫通部５の中心と一致するものに限らず、若干位置を異にするものであってもよい。
【００２４】
上記のタグラベル１の製品Ｓへの配置後、タグピンＰを充填した前述のタグガンで、第１外側部２１の大貫通部４又は第２外側部２２の大貫通部４から第１内側部３１の小貫通部５と製品Ｓと第２内側部３２の小貫通部５とへタグガンの上記針を突き通す。そしてタグガンの引き金の操作により前述の通りタグピンＰの先端側を押し出す。押し出し後、タグピンＰを残して上記針を抜くことにて、軸部Ｐ１と略一直線とされていた軸部Ｐ１先端部の鉤部Ｐ３を軸部Ｐ１との交差方向へ伸びるよう復元させ、タグピンＰを製品Ｓ及びタグラベル１から脱落不能とすることができる。タグピンＰを脱落不能とすることで、タグラベル１の製品Ｓへの取り付けが完了する。
尚上記小貫通部５の夫々は、各内側部３へ当初より設けるものに限らず、タグガンの上記針を突き通すことによって各内側部３へ形成されるものとしても実施できる。
上記にて打ちつけられたタグピンＰの両鉤部Ｐ２，Ｐ３のうちの一方（この例では鉤部Ｐ２）は第１内側部３１の副周辺部３０を製品Ｓとの間に挟み、他の一方（この例では鉤部Ｐ３）は第２内側部３２の副周辺部３０を製品Ｓとの間に挟む。
【００２５】
タグガンの針は、第１外側部２１の大貫通部４側から第２外側部２２の大貫通部４側へ向けて突き通すものとしてもよく、逆に第２外側部２２の大貫通部４側から第１外側部２１の大貫通部４側へ向けて突き通すものとしてもよい。図１（Ａ）へ示す例では、通常、製品Ｓの上面側に配置される第１外側部２１の大貫通部４側から第２外側部２２の大貫通部４側に向けてタグガンの針を突き通す。製品Ｓの上方から下方に向けてタグガンを使用するほうが、その逆の場合よりも作業は行い易いからである。但し、適切にタグピンＰを打ち込むことができれば、製品Ｓの下方から上方へ向けてタグピンＰを打ち込むものとしもよく、また、製品Ｓを立てた状態にして横方向にタグピンＰを打ち込むものとしてもよい。
【００２６】
上記の通り製品Ｓの上方から打ち込むことにより取り付けられたタグピンＰについては、図１（Ａ）へ示す通り、軸部Ｐ１の先端部の鉤部Ｐ３が第２内側部３２の副周辺部３０の下面と当接し、軸部Ｐ１の基端部の鉤部Ｐ２が第１内側部３１の副周辺部３０の上面と当接する。前述の通り第１内側部３１と第２内側部３２と共に製品Ｓが両鉤部Ｐ２，Ｐ３に挟まれるのである。
上記各折り目にて折られたタグラベル１の復元力により、第１外側部２１は第１内側部３１から離れて上方へ浮き上がり、第２外側部２２は第２内側部３２から離れて下方へ浮き上がる。
【００２７】
上記第１外側部２１の上記浮き上がりにより、図１（Ａ）へ示す通り取り付けられたタグピンＰの上記基端部の鉤部Ｐ２に対し、第１外側部２１の大貫通部４を取り囲む周辺部２０は上方に位置して、相対的に当該基端部の鉤部Ｐ２を第１外側部２１の大貫通部４より下方に後退させた状態とする。このため、図１（Ａ）の製品Ｓの上方側に他の製品が重ねられたり接触したりしても、浮き上がった第１外側部２１の周辺部２０の存在にて上記基端部の鉤部Ｐ２が当該他の製品に引っ掛かり難い。
同様に上記第２外側部２２の上記浮き上がりにより、図１（Ａ）へ示す通り取り付けられたタグピンＰの上記先端部の鉤部Ｐ３に対し、第２外側部２２の大貫通部４を取り囲む周辺部２０は下方に位置して、相対的に当該先端部の鉤部Ｐ３を第２外側部２２の大貫通部４より上方に後退させた状態とする。このため、図１（Ａ）の製品Ｓの下方側に他の製品が重ねられたり接触したりしても、浮き上がった第２外側部２２の周辺部２０の存在にて上記先端部の鉤部Ｐ３が下方側の当該他の製品に引っ掛かり難い。
即ち、各周辺部２０が、上記両鉤部Ｐ２，Ｐ３の他との接触を妨害して、上記引っ掛かりの発生を抑止する。
【００２８】
但し、大量の製品の積み重ねなどにより、各タグラベル１の上記復元力が働かず、各外側部２が各内側部３と当接した状態となっていても、鉤部Ｐ２，Ｐ３の夫々は少なくとも各大貫通部４の中にあり周辺部２０に取り囲まれているので、当該周辺部２０の無い状況に比べて依然、他への引っ掛かりは生じ難い。
【００２９】
（変更例）
第１及び第２外側部２１，２２、第１及び第２内側部３１，３２の夫々は、上記図１（Ｂ）へ示す矩形以外の形状を備えるものとしても実施できる。
図１（Ａ）（Ｂ）へ示す例では、小貫通部５と大貫通部４の夫々は、貫通孔としたが、表裏に貫通するものであれば孔即ち穴に限定するものではなく、切欠部であってもよい。例えば、小貫通部５と大貫通部４の夫々は、特許第５３４６１３３号公報（特許文献３）の図１〜図５へ示すピン挿入用切込みを備えた取付孔としてもよい。但し、製品ＳにタグピンＰを突き通すためには、タグガンを用いる必要があり、小貫通部５や大貫通部４を、切欠部としたり上記ピン挿入用切込を備える孔とするよりも、図示した貫通孔とするのが好ましい。
図１（Ｂ）へ示す通り、小貫通部５と大貫通部４の夫々は、平面視円形とした。小貫通部５と大貫通部４の夫々は、真円とする他、楕円や楕円以外の長円としても実施できる。この他小貫通部５と大貫通部４の夫々は、半円その他の扇形や、三角形、四角形或いは五角形以上の多角形としても実施できる。また、小貫通部５と大貫通部４の輪郭は、多角形と円弧その他の曲線との組み合わせてとしてもよい。更に貫通部４と大貫通部４とは大きさのみならず形状も互いに異なるものとしても実施できる。
【００３０】
また図１（Ａ）（Ｂ）へ示す例では、第１外側部２１は第２折り目ｍ２を介してタグラベル１の表部１１へ延設されるものとし、第２外側部２２は第３折り目ｍ３を介してタグラベル１の裏部１２へ延設されるものとした。この他第２折り目ｍ２を設けずに、第１外側部２１を表部１１へ延設するものとしてもよい。また、第３折り目ｍ３を設けずに第２外側部２２を裏部１２へ延設するものとしてもよい。
図１（Ｃ）へ示す例は、上記第２折り目ｍ２及び第３折り目ｍ３の双方を設けずに実施したものである。この図１（Ｃ）へ示す場合も、第１折り目ｍ１、第４折り目ｍ４及び第５折り目ｍ５での折り込みから復元しようとするタグラベル１の弾力性にて、第１外側部２１が第１内側部３１から浮き上がり、第２外側部２２が第２内側部３２から浮き上がる。
図１（Ｃ）へ示す例について、特に言及しなかった事項については、図１（Ａ）（Ｂ）へ示す例と同様である。
【００３１】
また、第２折り目ｍ２や第３折り目ｍ３を設ける場合も設けない場合も、図１（Ｃ）において点線で示すように、各内側部３１，３２の外側部２１，２２に対する折り目と反対側の辺から別途の折り目を介して拡張部３３，３４を延設しておくことにより、各外側部２１，２２の上記浮き上がりを当該拡張部３３，３４にてサポートするものとしても実施できる。詳しくは、各内側部３１，３２に対し上記別途の折り目にて拡張部３３，３４を谷折りにし拡張部３３，３４の各先端を表部１１の下面及び裏部１２の上面と当接させることにより、拡張部３３，３４にて表部１１と裏部１２とを支持可能とする。即ち拡張部３３，３４にて両外側部２１，２２を内側部３１，３２の夫々から浮き上がった状態を維持できるものとするのである。
また、図２（Ａ）へ示す通り、上記第１折り目ｍ１を設ける代わりに、第１上折り目ｍ１１と第１下折り目ｍ１２の２つの折り目と両折り目ｍ１１，ｍ１２間に挟まれた側面部１３とを、タグラベル１の表部１１と裏部１２との間へ介するものとしてもよい。
更に第１折り目ｍ１に代えて設ける折り目を図２（Ａ）へ示す第１上折り目ｍ１１と第１下折り目ｍ１２の２つの折り目に限定するものではなく、３つ以上の折り目を介して２つ以上の側面部を設けるものとしても実施できる。
また、図２（Ａ）へ示す例では、図１（Ａ）の第４折り目ｍ４に代え第４外折り目ｍ４１と第４内折り目ｍ４２の２つの折り目を介して第１外側部２１から第１内側部３１が延設されている。また、図２（Ａ）へ示す例では、図１（Ａ）の第５折り目ｍ５に代え第５外折り目ｍ５１と第５内折り目ｍ５２の２つの折り目を介して第２外側部２２から第２内側部３２が延設されている。
図２（Ａ）へ示す例について、特に言及しなかった事項については、図１（Ａ）（Ｂ）と同様であり、更に図１（Ｃ）へ示す例と同様の変更が可能である。
【００３２】
タグラベル１は、内側部３を表部１１側と裏部１２側の夫々に１つづつ備える他、例えば隣り合う複数の内側部３を備え、複数の内側部３が蛇腹状に上記表部１１側又は裏部１２と製品Ｓとの間に折込まれるものとすることができる。前記内側部３の夫々へ小貫通部５を形成しておけばよい。
また、図１（Ａ）〜（Ｃ）及び図２（Ａ）の各例では、一対の内側部３即ち第１内側部３１と第２内側部３２に対し１本のタグピンＰを打つものとした。この他上記一対の内側部３に対して複数のタグピンＰを打つものとしても実施できるし、複数対の内側部３を設けて内側部３の各対に１本又は複数のタグピンＰを打つものとしても実施できる。タグピンＰの数に応じて小貫通部５や大貫通部４も設けておけばよい。
【００３３】
更に、図２（Ｂ）へ示す通り、タグガンの針を通す側の大貫通部４のみ設けて即ち上記基端部の鉤部Ｐ２と対応する大貫通部４のみ設けて、上記先端部の鉤部Ｐ３と対応する外側部２には大貫通部４を設けずに実施することもできる。
図２（Ｂ）へ示すように形成する場合、上記先端部の鉤部Ｐ３については当該鉤部Ｐ３も含め内側部３でさえ外部へ露出しない状態となり他へ引っ掛る可能性は皆無である。
この図２（Ｂ）へ示す例についても、特に言及しない事項は、図１（Ａ）（Ｂ）の例と同様であり、更に図１（Ｃ）や図２（Ａ）へ示す例と同様の変更を行うことができる。
【００３４】
上記図１（Ａ）〜（Ｃ）及び図２（Ａ）（Ｂ）の各例では、直接表部１１から第１外側部２１が延設されて次いで第１外側部２１から第１内側部３１が延設されるものとした。また直接裏部１２から第２外側部２２が延設されて次いで第２外側部２２から第２内側部３２が延設されるものとした。
この他、直接表部１１から第１内側部３１が延設されて次いで第１内側部３１から第１外側部２１が延設されるものとしてもよく、同様に直接裏部１２から第２内側部３２が延設されて次いで第２内側部３２から第２外側部２２が延設されるものとしてもよい。即ち、第１外側部２１は第１内側部３１を介して間接的に表部１１に延設されたものとしてもよく、また、第２外側部２２についても第２内側部３２を介して間接的に裏部１２へ延設されたものとしてもよい。
【００３５】
上記の通り表部１１及び裏部１２に対して内側部３を介して外側部２を延設する場合、前述の第４折り目ｍ４や第５折り目ｍ５は図１（Ａ）と逆に折り返す即ち谷折りにされる。そして図示は省略するが、折り返した外側部２の先端に当該先端の他の部分よりも突出する舌片を延設しておき、当該舌片を差し込み可能な切れ込みを表部１１及び裏部１２に設けて当該切れ込みへ上記舌片を差し込んで留めるものとすればよい。上記舌片を差し込んだ切れ込みに対して接着テープを貼るなどして固定をより確実にすることもできる。上記の通り表部１１及び裏部１２に対して内側部３を介して外側部２を延設する場合、ピン通し部である内側部３は返し部ではなく、外側部２が返し部として折り返される。
【００３６】
表部１１及び裏部１２に対して内側部３を介して外側部２を延設する場合、上記の舌片や切れ込みを設けて折り返された外側部２を留めるのではなく、図２（Ｃ）へ示す通り、更に外側部２の先端へ別途折り目を介し副内側部６を設けておくものとし、当該副内側部６を内側部３へ重ねるものとすることができる。ピン通し部として上記副内側部６にも内側部３と同様小貫通部５を設け更に小貫通部５を取り囲む副周辺部６０を設けるものとすればよい。
この図２（Ｃ）の例において、第１内側部３１の上面に配置される副内側部６を第１副内側部６１とし、第２内側部３２の下面に配置される副内側部６を第２副内側部６２とする。
図２（Ｃ）へ示す例についても、特に言及しなかった事項については、図１（Ａ）（Ｂ）の例と同様であり、更に図１（Ｃ）や図２（Ａ）（Ｂ）の例と同様の変更を行うことができる。また、副内側部６は、第１内側部３１と第２内側部３２のうち、何れか一方にのみ延設するものとし、他の一方は、図１（Ａ）〜（Ｃ）や図２（Ａ）（Ｂ）の何れかと同様の構成を採るものとしてもよい。
【００３７】
尚、図２（Ｃ）の例では、図１（Ａ）（Ｂ）へ示す第１折り目ｍ１に代えて湾曲部分として湾曲部ｍ１０が設けられている。図１（Ａ）〜（Ｃ）及び図２（Ａ）（Ｂ）へ示す各例においても、図２（Ｃ）へ示すように表部１１と裏部１２との間を湾曲部ｍ１０として実施することもできる。また、第１折り目ｍ１に限らず、第２〜第５折り目ｍ２〜ｍ５やその他の折り目について、その一部或いは全てを折り目に代え湾曲部として実施できる。このように折り目として折ることに代えて湾曲部とする場合、タグラベル１自身へ予め湾曲するよう型を付けておく他、タグラベル１を単に撓めた状態として製品から外せばほぼ完全に元どおり平らになるものとしてもよい。特に製品Ｓの表裏間の厚みが比較的大きい場合、湾曲部ｍ１０として上記の通り単に撓めてタグピンＰで固定し湾曲状態を維持するものとするのが適する。尚タグラベル１に用いられる一般的な紙片では、単に撓めるだけでも湾曲するように概ね型が付く。また湾曲部ｍ１０に置き換えた第１折り目ｍ１以外の、上記他の折り目の夫々についても、単に撓ませたものとすることができる。外側部２を内側部３から若干浮き上がらせることができれば、上記何れの形態の湾曲部を採用してもよいのである。また、当該浮き上がりが可能であれば、上記の折り目や湾曲部以外に、表部１１と裏部１２とを別々のシートとし両シートを接着テープや糊づけにて結合するものとしてもよい。
但し、上記の各例において、周辺部２０の厚みにてタグピンＰの鉤部の他への引っ掛かりを抑止するものとし、外側部２を内側部３から浮き上がらせないものとしてもよい。
【００３８】
図３（Ａ）へ示す通り、樹脂製のタグピンＰの一端が扁平でパイルのループに引っ掛からない大きさの頭部を鉤部Ｐ２として備え、当該タグピンＰの他の一端が図１（Ａ）へ示すタグピンＰと同様の棒状の鉤部Ｐ３を備えるものとしても実施できる。
特にこの場合において図３（Ａ）へ示す通り、上記の内側部３を表部１１又は裏部１２の何れか一方にのみ設けるものとしても実施できる。この図３（Ａ）のタグピンＰを打つタグガンとして、前述の特許文献７，８のタグガン以外に特許第２９１３３７２号へ示すものを例示できる。
【００３９】
また、上記の通りタグピンＰの一方の鉤部Ｐ２を扁平としパイルのループに引っ掛かり難いものとする場合、図３（Ｂ）へ示す通り、タグラベル１は製品Ｓの表面Ｓ１側と裏面Ｓ２側の何れか一方にのみ配置するものとしても実施できる。図３（Ｂ）へ示す例では、タグラベル１は、表部１１のみ備え裏部１２を備えない。そして、平面視において表部１１の対向する一対の辺の夫々に折り目を介して外側部２及び内側部３の夫々が延設されて、各内側部３へ１本づつ合計２本のタグピンＰが通されている。但し、図３（Ａ）（Ｂ）へ示す例において、外側部２や内側部３の配置、また打ち込むタグピンＰの数は、上記に限らず必要に応じて変更可能である。
上記扁平な鉤部Ｐ２を備えるタグピンＰは、上記扁平な鉤部Ｐ２をタグガンの針の基端側に配置して打ち出されるので、実際にはタグラベル１を製品Ｓに対し図３（Ａ）（Ｂ）へ示すものと上下逆に配置するのが好ましい。図３（Ａ）（Ｂ）では製品Ｓの下方から上方へタグガンを向けてタグピンＰを打ち込むことになるからである。
図示は省略するが、タグラベル１へ、上記扁平な鈎部Ｐ２と対応する周辺部や大貫通部４を設けて当該鈎部Ｐ２と他との接触を抑制するものとしてもよい。上記扁平な鉤部Ｐ２に対応する大貫通部４を設ける場合、特に図１（Ｃ）と同様の拡張部３３，３４を設けて上記大貫通部４や周辺部を備える外側部２をサポートし、当該鉤部Ｐ２における軸部Ｐ１長手方向に沿った幅即ち鉤部Ｐ２の縦幅に対応する、上記浮き上がりの幅を確保することができる。
【００４０】
図３（Ａ）（Ｂ）へ示す例では、扁平な鉤部が軸部Ｐ１の基端部の鉤部Ｐ２となるようにタグガンを向ける即ち図３（Ａ）（Ｂ）に示す状態では製品Ｓの裏面Ｓ２側からタグガンを向けることになるので、大貫通部４を全く設けずに実施することもできるが、消費者がタグピンＰを外す際に、鋏みなどで軸部Ｐ１の上記鉤部Ｐ３付近を切断するほうが取り外しが行い易く、鋏みを挿入するために大貫通部４を設けておくのが望ましい。図３（Ａ）（Ｂ）のように大貫通部４を設けておいても、流通時周辺部２０にて鉤部Ｐ３が他へ引っ掛かるのを抑止することが可能だからである。
図３（Ａ）（Ｂ）へ示す例においても、特に言及しない事項については、図１（Ａ）（Ｂ）に示す例と同様であり、更に図１（Ｃ）や図２（Ａ）〜（Ｃ）へ示す例と同様の変更を行うことができる。
【００４１】
また、製品Ｓが傷み易い素材でない場合は、製品Ｓ側を折り曲げてタグピンＰの打ち込み、打ち込み後折り曲げていた製品Ｓを伸ばすことによって図３（Ｃ）へ示すように軸部Ｐ１を曲げ、タグピンＰの両鉤部Ｐ２，Ｐ３を製品Ｓの表裏について同じ側に配置することもできる。この場合図３（Ｃ）へ示す通り、１本のタグピンＰの両鉤部Ｐ２，Ｐ３と対応する２つの大貫通部４を設けるものとしてもよいが、軸部Ｐ１基端部の鉤部Ｐ２と対応する大貫通部４のみ設けるものとしても実施できる。
図３（Ｃ）へ示す例についても特に言及しなかった事項については、図１（Ａ）（Ｂ）へ示す例と同様であり、更に図１（Ｃ）や図２（Ａ）〜（Ｃ）、図３（Ａ）（Ｂ）へ示す例と同様の変更を行うことができる。
【００４２】
上述してきた各実施の形態において、タグピンＰとして樹脂製タグピンを例示した。この他、軸部Ｐ１と軸部Ｐ１の両端側に鉤部Ｐ２，Ｐ３を備え、タグラベル１及び製品Ｓへ突き通す際、前記軸部Ｐ１先端部の鉤部Ｐ３を軸部Ｐ１へ沿わせることができれば、タグピンＰには樹脂製以外のタグピンを採用して実施することができる。例えば製品Ｓが比較的目の粗い編み物やレースである場合、紙製のタグピンを用いて実施することも可能である。
また、タグピンＰは、上記タグガンを用いて打つものに限定せず、指先や他の取り付け用具を用いて、軸部Ｐ１をタグラベル１及び製品Ｓへ通した後、軸部Ｐ１へ沿っていた鉤部Ｐ３を指で軸部Ｐ１と交差する方向へ戻す或いは当該交差する方向へ曲げるものとして実施しても良いのである。
更に、図１（Ｂ）へ示す例では、各外側部２は表部１１及び裏部１２の第１折り目ｍ１と対向する辺から延設したが、この他、当該対抗する辺以外の辺から延設しても実施できる。タグラベル１において、表部１１や裏部１２、更に表部１１や裏部１２から延設された各部分は、多角形や楕円、双曲線など幾何学的なものや規則性を有する輪郭を持つものとして実施できる他、不規則な形状を備えるものとしても実施できる。
図１（Ｂ）へ示す突出部８を表部１１や裏部１２の縁へ設ける他、タグラベル１のデザイン、印刷されるキャラクタやロゴなどに合わせて、後退する部分を備えるものとしてもよい。
【符号の説明】
【００４３】
１  （本発明の）タグラベル
２    外側部
３    内側部（ピン通し部）
４    大貫通部
５    小貫通部
６    副内側部
７    表示
８    突出部
１１  （タグラベル１の）表部
１２  （タグラベル１の）裏部
１３  （タグラベル１の）側面部
２０    周辺部
２１    第１外側部
２２    第２外側部
３０    副周辺部
３１    第１内側部
３２    第２内側部
３３    拡張部
３４    拡張部
６０    副周辺部
６１    第１副内側部
６２    第２副内側部
Ｌ    （従来の）タグラベル
Ｌ１  （従来のタグラベルＬの）製品Ｓ表面と対応する部位
Ｌ２  （従来のタグラベルＬの）製品Ｓ裏面と対応する部位
ｍ１  （タグラベル１の）第１折り目
ｍ２  （タグラベル１の）第２折り目
ｍ３  （タグラベル１の）第３折り目
ｍ４  （タグラベル１の）第４折り目
ｍ５  （タグラベル１の）第５折り目
ｍ１０（タグラベル１の）湾曲部
ｍ１１（タグラベル１の）第１上折り目  
ｍ１２（タグラベル１の）第１下折り目  
ｍ４１（タグラベル１の）第４外折り目
ｍ４２（タグラベル１の）第４内折り目
ｍ５１（タグラベル１の）第５外折り目
ｍ５２（タグラベル１の）第５内折り目
Ｐ      タグピン
Ｐ１  （タグピン１の）軸部
Ｐ２  （タグピン１の軸部Ｐ１基端部の）鉤部
Ｐ３  （タグピン１の軸部Ｐ１先端部の）鉤部
Ｓ    （タグラベルが付される）製品
Ｓ０  （タオル等の製品Ｓの）縁
Ｓ１  （製品Ｓの）表面
Ｓ２  （製品Ｓの）裏面
【図１】
0006681620.tif 000002
【図２】
0006681620.tif 000003
【図３】
0006681620.tif 000004
【図４】
0006681620.tif 000005